(57)【要約】  本発明の実施形態のフィルムアンテナは、誘電層と、誘電層の上面上に配置され、同一平面上に共に配列された垂直放射パターン及び水平放射パターンとを含む。垂直放射パターン及び水平放射パターンによって、同一フィルム内で多軸方向の放射特性を実現することができる。
2021501542.tif 000002
【特許請求の範囲】
【請求項１】
誘電層と、
前記誘電層の上面上に配置され、同一平面上に共に配列された垂直放射パターン及び水平放射パターンとを含む、フィルムアンテナ。
【請求項２】
隣接する前記垂直放射パターンの中心と前記水平放射パターンの中心との間の距離は、λ／２以上である、請求項１に記載のフィルムアンテナ。
【請求項３】
前記垂直放射パターンの長さは、λ／２以上である、請求項１に記載のフィルムアンテナ。
【請求項４】
前記水平放射パターンは、同一平面上に配置された信号電極およびグランド電極を含む、請求項１に記載のフィルムアンテナ。
【請求項５】
前記水平放射パターンは、一対のグランド電極を含み、前記信号電極の一部は、前記グランド電極の間に延長する、請求項４に記載のフィルムアンテナ。
【請求項６】
前記信号電極の長さは、λ／４以上である、 請求項４に記載のフィルムアンテナ。
【請求項７】
複数の前記垂直放射パターン及び前記水平放射パターンが配列され、
前記垂直放射パターンのうち所定の数の垂直放射パターンが垂直放射群を形成し、前記水平放射パターンのうち所定の数の水平放射パターンが水平放射群を形成する、請求項１に記載のフィルムアンテナ。
【請求項８】
複数の前記垂直放射群が連続して配列され、複数の前記水平放射群が連続して配列される、請求項７に記載のフィルムアンテナ。
【請求項９】
前記水平放射パターンのうちの少なくとも一つの水平放射パターンは、他の水平放射パターンに対して平面上で回転されて配列される、請求項７に記載のフィルムアンテナ。
【請求項１０】
前記複数の水平放射群のうちの少なくとも一つの水平放射群に含まれた水平放射パターンが平面上で回転されて配列される、請求項９に記載のフィルムアンテナ。
【請求項１１】
前記誘電層の底面上に形成されたグランド層をさらに含む、請求項１に記載のフィルムアンテナ。
【請求項１２】
前記グランド層は、前記垂直放射パターンと選択的に重畳する、請求項１１に記載のフィルムアンテナ。
【請求項１３】
前記垂直放射パターン及び前記水平放射パターンにそれぞれ接続される第１の伝送線路及び第２の伝送線路と、
前記第１の伝送線路及び前記第２の伝送線路を介して前記垂直放射パターン及び前記水平放射パターンにそれぞれ電気的に接続される第１のパッド及び第２のパッドとをさらに含む、請求項１に記載のフィルムアンテナ。
【請求項１４】
前記垂直放射パターン及び前記水平放射パターンの周辺に形成されたダミーパターンをさらに含む、請求項１に記載のフィルムアンテナ。
【請求項１５】
前記垂直放射パターン、前記水平放射パターン及びダミーパターンは、メッシュパターン構造を含む、請求項１４に記載のフィルムアンテナ。
【請求項１６】
前記垂直放射パターン及び前記水平放射パターンは、それぞれ銀（Ａｇ）、金（Ａｕ）、銅（Ｃｕ）、アルミニウム（Ａｌ）、白金（Ｐｔ）、パラジウム（Ｐｄ）、クロム（Ｃｒ） 、チタン（Ｔｉ）、タングステン（Ｗ）、ニオブ（Ｎｂ）、タンタル（Ｔａ）、バナジウム（Ｖ）、鉄（Ｆｅ）、マンガン（Ｍｎ）、コバルト（Ｃｏ）、ニッケル（Ｎｉ）、亜鉛（Ｚｎ）、又はこれらの合金で構成される群から選択される少なくとも一つを含む、請求項１に記載のフィルムアンテナ。
【請求項１７】
請求項１〜１６のいずれか一項に記載のフィルムアンテナを含む、ディスプレイ装置。
【発明の詳細な説明】
【技術分野】
【０００１】
本発明は、フィルムアンテナ及びそれを含むディスプレイ装置に関する。より詳細には、電極および誘電層を含むフィルムアンテナ、並びにそれを含むディスプレイ装置に関する。
【背景技術】
【０００２】
近年、情報化社会が進展するにつれて、ワイファイ（Ｗｉ−Ｆｉ）、ブルートゥース（Ｂｌｕｅｔｏｏｔｈ（登録商標））などの無線通信技術がディスプレイ装置と結合され、例えばスマートフォンの形で実現されている。この場合には、アンテナが前記ディスプレイ装置に結合され、通信機能を実行することができる。
【０００３】
最近では、移動通信技術が進化するにつれて、超高周波帯域の通信を行うためのアンテナが前記ディスプレイ装置に結合される必要がある。また、透明ディスプレイ、フレキシブルディスプレイなどの薄型、高透明、高解像度のディスプレイ装置が開発され、前記アンテナもまた、向上した透明性、柔軟性を持つように開発される必要がある。
【０００４】
例えば、最近の５Ｇの高周波帯域の通信の場合には、波長がより短くなったことにより、信号の送受信が遮断される場合がある。したがって、信号損失を低減するために、多軸方向の信号送受信を実現することが求められている。
【０００５】
しかしながら、アンテナが搭載されるディスプレイ装置がより薄型、軽量化されることによって、前記アンテナが占めるスペースも減少し得る。このため、限られたスペースの中で多軸方向の信号送受信を実現し、信号の送受信効率を向上させることが困難になることがある。
【０００６】
例えば、韓国公開特許第２００３−００９５５５７号は、携帯用端末に内蔵されるアンテナ構造を開示している。
【発明の概要】
【発明が解決しようとする課題】
【０００７】
本発明の課題は、向上したゲイン及び信号の送受信効率を有するフィルムアンテナを提供することである。
【０００８】
本発明の課題は、向上したゲイン及び信号の送受信効率を有するフィルムアンテナを含むディスプレイ装置を提供することである。
【課題を解決するための手段】
【０００９】
１．誘電層と、前記誘電層の上面上に配置され、同一平面上に共に配列された垂直放射パターン及び水平放射パターンとを含む、フィルムアンテナ。
【００１０】
２．前記項目１において、隣接する前記垂直放射パターンの中心と前記水平放射パターンの中心との間の距離は、λ／２以上である、フィルムアンテナ。
【００１１】
３．前記項目１において、前記垂直放射パターンの長さは、λ／２以上である、フィルムアンテナ。
【００１２】
４．前記項目１において、前記水平放射パターンは、同一平面上に配置された信号電極及びグランド電極を含む、フィルムアンテナ。
【００１３】
５．前記項目４において、前記水平放射パターンは、一対のグランド電極を含み、前記信号電極の一部は、前記グランド電極の間に延長する、フィルムアンテナ。
【００１４】
６．前記項目４において、前記信号電極の長さは、λ／４以上である、フィルムアンテナ。
【００１５】
７．前記項目１において、複数の前記垂直放射パターン及び前記水平放射パターンが配列され、前記垂直放射パターンのうち所定の数の垂直放射パターンが垂直放射群を形成し、前記水平放射パターンのうち所定の数の水平放射パターンが水平放射群を形成する、フィルムアンテナ。
【００１６】
８．前記項目７において、複数の前記垂直放射群が連続して配列され、複数の前記水平放射群が連続して配列される、フィルムアンテナ。
【００１７】
９．前記項目７において、前記水平放射パターンのうちの少なくとも一つの水平放射パターンは、他の水平放射パターンに対して平面上で回転されて配列される、フィルムアンテナ。
【００１８】
１０．前記項目９において、前記複数の水平放射群のうちの少なくとも一つの水平放射群に含まれた水平放射パターンが平面上で回転されて配列される、フィルムアンテナ。
【００１９】
１１．前記項目１において、前記誘電層の底面上に形成されたグランド層をさらに含む、フィルムアンテナ。
【００２０】
１２．前記項目１１において、前記グランド層は、前記垂直放射パターンと選択的に重畳される、フィルムアンテナ。
【００２１】
１３．前記項目１において、
前記垂直放射パターン及び前記水平放射パターンにそれぞれ接続される第１の伝送線路及び第２の伝送線路と、
前記第１の伝送線路及び前記第２の伝送線路を介して前記垂直放射パターン及び前記水平放射パターンにそれぞれ電気的に接続される第１のパッド及び第２のパッドとをさらに含む、フィルムアンテナ。
【００２２】
１４．前記項目１において、前記垂直放射パターン及び前記水平放射パターンの周辺に形成されたダミーパターンをさらに含む、フィルムアンテナ。
【００２３】
１５．前記項目１４において、前記垂直放射パターン、前記水平放射パターン及びダミーパターンは、メッシュパターン構造を含む、フィルムアンテナ。
【００２４】
１６．前記項目１において、前記垂直放射パターン及び前記水平放射パターンは、それぞれ銀（Ａｇ）、金（Ａｕ）、銅（Ｃｕ）、アルミニウム（Ａｌ）、白金（Ｐｔ）、パラジウム（Ｐｄ）、クロム（Ｃｒ）、チタン（Ｔｉ）、タングステン（Ｗ）、ニオブ（Ｎｂ）、タンタル（Ｔａ）、バナジウム（Ｖ）、鉄（Ｆｅ）、マンガン（Ｍｎ）、コバルト（Ｃｏ）、ニッケル（Ｎｉ）、亜鉛（Ｚｎ）、又はこれらの合金で構成される群から選択される少なくとも一つを含む、フィルムアンテナ。
【００２５】
１７．前記項目１〜１６のいずれか一つに記載のフィルムアンテナを含む、ディスプレイ装置。
【発明の効果】
【００２６】
本発明の実施形態に係るフィルムアンテナは、同一レベルまたは同一平面上に配列された垂直放射パターン及び水平放射パターンを含むことができる。これにより、実質的に単一のフィルム内で二重偏波または多軸方向の信号送受信を実現することができる。
【００２７】
また、前記垂直放射パターン及び水平放射パターンは、それぞれ複数形成されて群を形成し、前記群をアレイの形で単一のフィルム内に含めることができる。これにより、信号感度を増加させながら、相互の信号干渉を抑制することができる。
【００２８】
前記フィルムアンテナは、３Ｇ以上、例えば５Ｇ高周波帯域の送受信が可能な移動通信機器を含むディスプレイ装置に適用され、放射特性および透過度のような光学特性を共に向上させることができる。
【図面の簡単な説明】
【００２９】
【図１】図１は、例示的な実施形態に係るフィルムアンテナを示す概略平面図である。
【図２】図２は、例示的な実施形態に係るフィルムアンテナを示す概略断面図である。
【図３】図３は、例示的な実施形態に係るフィルムアンテナを示す概略断面図である。
【図４】図４は、一部の例示的な実施形態に係るフィルムアンテナを示す概略平面図である。
【図５】図５は、一部の例示的な実施形態に係るフィルムアンテナを示す概略平面図である。
【図６】図６は、一部の例示的な実施形態に係るフィルムアンテナのパターン構造を示す概略平面図である。
【図７】図７は、例示的な実施形態に係るディスプレイ装置を説明するための概略平面図である。
【発明を実施するための形態】
【００３０】
本発明の実施形態は、同一層または同一平面上に配列された垂直放射パターン及び水平放射パターンを含み、二重偏波または多軸方向特性が実現可能なフィルムアンテナを提供するものである。
【００３１】
前記フィルムアンテナは、例えば、透明フィルムの形で製作されるマイクロストリップパッチアンテナ（microstrip patch antenna）であってもよい。前記フィルムアンテナは、例えば、３Ｇ〜５Ｇ移動通信のための通信機器に適用できる。
【００３２】
また、本発明の実施形態は、前記フィルムアンテナを含むディスプレイ装置を提供するものである。
【００３３】
以下、図面を参照して、本発明の実施形態をより具体的に説明する。ただし、本明細書に添付される図面は、本発明の好適な実施形態を例示するものであって、発明の詳細な説明とともに本発明の技術思想をさらに理解する一助となる役割を果たすものであるため、本発明は図面に記載された事項のみに限定されて解釈されるものではない。
【００３４】
図１は、例示的な実施形態に係るフィルムアンテナを示す概略平面図である。
図１において、誘電層１００の上面に平行であり、互いに垂直に交差する二つの方向を第１方向及び第２方向に定義し、前記第１及び第２方向に垂直な方向を第３方向に定義する。前記第１、第２及び第３方向は、それぞれＸ軸、Ｙ軸及びＺ軸方向に対応できる。前述の方向の定義は、他の図面でも同様に適用できる。
【００３５】
図１を参照すると、例示的な実施形態に係るフィルムアンテナは、誘電層１００と、垂直放射パターン１１０と、水平放射パターン１４０とを含む。
【００３６】
誘電層１００は、所定の誘電率を有する絶縁物質を含むことができる。誘電層１００は、例えば、シリコン酸化物、シリコン窒化物、金属酸化物などの無機絶縁物質、またはエポキシ樹脂、アクリル樹脂、イミド系樹脂などの有機絶縁物質を含むことができる。誘電層１００は、放射パターン１１０，１４０が形成されるフィルムアンテナのフィルム基材として機能することができる。
【００３７】
例えば、透明フィルムを誘電層１００として提供することができる。前記透明フィルムは、例えば、ポリエチレンテレフタレート、ポリエチレンイソフタレート、ポリエチレンナフタレート、ポリブチレンテレフタレートなどのポリエステル系樹脂；ジアセチルセルロース、トリアセチルセルロースなどのセルロース系樹脂；ポリカーボネート系樹脂；ポリメチル（メタ）アクリレート、ポリエチル（メタ）アクリレートなどのアクリル系樹脂；ポリスチレン、アクリロニトリル−スチレン共重合体などのスチレン系樹脂；ポリエチレン、ポリプロピレン、シクロ系またはノルボルネン構造を有するポリオレフィン、エチレン−プロピレン共重合体などのポリオレフィン系樹脂；塩化ビニル系樹脂；ナイロン、芳香族ポリアミドなどのアミド系樹脂；イミド系樹脂；ポリエーテルスルホン系樹脂；スルホン系樹脂；ポリエーテルエーテルケトン系樹脂；硫化ポリフェニレン系樹脂；ビニルアルコール系樹脂；塩化ビニリデン系樹脂；ビニルブチラル系樹脂；アリレート系樹脂；ポリオキシメチレン系樹脂；エポキシ系樹脂などの熱可塑性樹脂を含むことができる。これらは、単独であるいは２以上を組み合わせて使用することができる。また、（メタ）アクリル系、ウレタン系、アクリルウレタン系、エポキシ系、シリコーン系などの熱硬化性樹脂または紫外線硬化型樹脂からなる透明フィルムを誘電層１００として活用することができる。
【００３８】
一部の実施形態では、誘電層１００の誘電率は、約１．５〜１２の範囲に調節することができる。前記誘電率が約１２を超えると、駆動周波数が減少しすぎて、所望の高周波帯域での駆動を実現できないことがある。
【００３９】
例示的な実施形態において、前記フィルムアンテナは、パッド領域（Pad Area：ＰＡ）、伝送領域（Transmission Area：ＴＡ）、および放射領域（Radiation Area：ＲＡ）を含むことができる。これにより、誘電層１００もまた、パッド領域ＰＡ、伝送領域ＴＡ、および放射領域ＲＡに区分することができる。
【００４０】
垂直放射パターン１１０及び水平放射パターン１４０は、誘電層１００の上面上に共に配列することができる。例示的な実施形態によると、垂直放射パターン１１０および水平放射パターン１４０は、同一レベル又は同一平面上に共に前記第１方向に沿って配列することができる。例えば、垂直放射パターン１１０および水平放射パターン１４０は、放射領域ＲＡの誘電層１００部分の上面上に配列することができる。
【００４１】
図１に示すように、垂直放射パターン１１０は、第１の伝送線路１２０に接続される突出部を中央部に含むことができる。しかし、図１に示す垂直放射パターン１１０の形状は、例示的なものであり、放射効率などを考慮して適宜変更することができる。
【００４２】
垂直放射パターン１１０および誘電層１００の下には、グランド層９０（図２参照）が配置される。これにより、垂直放射パターン１１０によって第３方向（例えば、Ｚ軸方向）への信号送受信または放射特性を実現することができる。
【００４３】
水平放射パターン１４０は、垂直放射パターン１１０と前記第１方向に隣接して配置することができる。
【００４４】
例示的な実施形態によると、水平放射パターン１４０は、信号電極１４２と、グランド電極１４４とを含むことができる。信号電極１４２およびグランド電極１４４は、同一平面（例えば、誘電層１００の上面）上に共に配置することができる。
【００４５】
水平放射パターン１４０は、モノポール及び／又はダイポールアンテナを実現するように形成することができる。一部の実施形態では、図１に示すように、一つの水平放射パターン１４０は、２つのグランド電極１４４および１つの信号電極１４２を含むことができる。例えば、信号電極１４２は、一対のグランド電極１４４の間に挿入される突出部または延長部を含むことができる。
【００４６】
グランド電極１４４及び信号電極１４２が同一平面上で隣接するように配置されたことにより、水平放射パターン１４０によって、前記第１方向及び第２方向を含む平面での信号送受信または放射特性を実現することができる。
【００４７】
信号電極１４２およびグランド電極１４４は、それぞれ四角形などの多角形形状でパターニングすることができる。しかし、信号電極１４２およびグランド電極１４４の形状は、放射効率およびスペース効率を考慮して適宜変更することができる。
【００４８】
垂直放射パターン１１０および水平放射パターン１４０は、それぞれ銀（Ａｇ）、金（Ａｕ）、銅（Ｃｕ）、アルミニウム（Ａｌ）、白金（Ｐｔ）、パラジウム（Ｐｄ）、クロム（Ｃｒ）、チタン（Ｔｉ）、タングステン（Ｗ）、ニオブ（Ｎｂ）、タンタル（Ｔａ）、バナジウム（Ｖ）、鉄（Ｆｅ）、マンガン（Ｍｎ）、コバルト（Ｃｏ）、ニッケル（Ｎｉ）、亜鉛（Ｚｎ）、又はこれらの合金を含むことができる。これらは、単独であるいは２以上を組み合わせて使用することができる。例えば、垂直放射パターン１１０及び水平放射パターン１４０は、低抵抗の実現のために、銀（Ａｇ）または銀合金を含むことができ、例えば、銀−パラジウム−銅（ＡＰＣ）合金を含むことができる。
【００４９】
一部の実施形態では、垂直放射パターン１１０および水平放射パターン１４０は、インジウムスズ酸化物（ＩＴＯ）、インジウム亜鉛酸化物（ＩＺＯ）、インジウム亜鉛スズ酸化物（ＩＴＺＯ）、亜鉛酸化物（ＺｎＯｘ）などの透明金属酸化物を含むことができる。
【００５０】
一部の実施形態では、垂直放射パターン１１０および水平放射パターン１４０は、透過率の向上のために、メッシュ（mesh）−パターン構造を含むことができる。
【００５１】
一部の実施形態において、垂直放射パターン１１０および水平放射パターン１４０は、高透過率の金属薄膜構造を持つことができる。例えば、垂直放射パターン１１０および水平放射パターン１４０は、約５０〜２００Åの厚さのソリッド金属薄膜構造を有することができる。例えば、垂直放射パターン１１０および水平放射パターン１４０の透過率は、約７０％、好ましくは約８０％以上であってもよい。
【００５２】
隣接する垂直放射パターン１１０の中心と水平放射パターン１４０の中心との間隔（第１間隔Ｄ１）は、λ／２以上であってもよい。前記範囲では、垂直放射パターン１１０と水平放射パターン１４０との間での放射干渉を抑制することができる。本出願で使用される「λ」は、前記フィルムアンテナがセンシングする帯域の周波数波長を指し得る。一実施形態において、第１間隔Ｄ１は、λ以上であってもよい。
【００５３】
例えば、第１間隔Ｄ１は、互いに隣接して向かい合う垂直放射パターン１１０の中心と信号電極１４２の中心との間の水平距離（第１方向への距離）と定義することができる。
【００５４】
垂直放射パターン１１０および水平放射パターン１４０の長さ（第２方向への長さ）は、共振周波数および信号感度を考慮して調節できる。
【００５５】
一部の実施形態では、垂直放射パターン１１０の長さＬ１は、λ／２以上であってもよく、例えば、５Ｇ周波数で駆動される場合、約０．５ｍｍ〜１０ｃｍの範囲であってもよい。
【００５６】
水平放射パターン１４０において、信号電極１４２およびグランド電極１４４の長さＬ２は、それぞれλ／４以上であってもよく、一実施形態ではλ／２以上であってもよい。例えば、５Ｇ周波数で駆動される場合、約０．２５ｍｍ〜１０ｃｍの範囲であってもよい。
【００５７】
前述したように、フィルムアンテナの単一レベルまたは単一層内に垂直放射パターン１１０および水平放射パターン１４０を共に配列することによって、一つのフィルムまたはパッチ内で多軸指向または二重偏波特性を実現することができる。これにより、高周波帯域の通信時に発生する信号損失を低減し、信号感度および信号効率を共に向上させることができる。
【００５８】
また、垂直放射パターン１１０および水平放射パターン１４０の組み合わせにより、フィルムアンテナのゲイン特性を向上することができる。例えば、例示的な実施形態に係るフィルムアンテナは、７ｄＢｉ以上のゲインを満足することができる。
【００５９】
伝送領域ＴＡの誘電層１００部分上には、伝送線路１２０，１５０が配置され、放射パターン１１０，１４０に接続することができる。例示的な実施形態によると、第１の伝送線路１２０及び第２の伝送線路１５０は、それぞれ垂直放射パターン１１０および水平放射パターン１４０と接続することができる。例えば、伝送線路１２０，１５０の一端部は、それぞれの放射パターン１１０，１４０と接続することができる。
【００６０】
伝送線路１２０，１５０は、放射パターン１１０，１４０と実質的に同一の導電物質を含むことができ、同一のエッチング工程により放射パターン１１０，１４０と共に形成することができる。例示的な実施形態によると、伝送線路１２０，１５０および放射パターン１１０，１４０は、誘電層１００の上面上に形成され、同一レベルの導電層を形成することができる。
【００６１】
伝送線路１２０，１５０は、パッド領域ＰＡに延長され、パッド１３０，１６０と電気的に接続できる。例えば、第１のパッド１３０から第１の伝送線路１２０が延長され、複数の垂直放射パターン１１０に接続されるように分岐されてもよい。また、第２のパッド１６０から第２の伝送線路１５０が延長され、複数の水平放射パターン１４０に接続されるように分岐されてもよい。
【００６２】
一部の実施形態では、パッド１３０，１６０は、伝送線路１２０，１５０および放射パターン１１０，１４０と同一層または同一平面上に配置することができる。一部の実施形態では、パッド１３０，１６０は、伝送線路１２０，１５０よりも上層に形成することができる。例えば、誘電層１００上に伝送線路１２０，１５０を覆う絶縁膜（図示せず）を形成し、前記絶縁膜上にパッド１３０，１６０を形成することができる。例えば、パッド１３０，１６０は、前記絶縁膜を貫通するビアまたはコンタクトを介して伝送線路１２０，１５０と電気的に接続できる。
【００６３】
前記フィルムアンテナまたは誘電層１００の領域におけるパッド領域ＰＡ、伝送領域ＴＡおよび放射領域ＲＡを除いた領域は、ダミー領域と定義することができる。
【００６４】
一部の実施形態において、前記ダミー領域の少なくとも一部は、メッシュパターン構造を含むダミーパターンで満たすことができる。一部の実施形態では、放射パターン１１０，１４０もまたメッシュパターン構造を含み、放射領域ＲＡにおける放射パターン１１０，１４０が形成された領域を除いた残りの領域もまた、実質的に前記ダミーパターンで満たすことができる。
【００６５】
一部の実施形態では、パッド領域ＰＡおよび伝送領域ＴＡにおけるパッド１３０，１６０および伝送線路１２０，１５０が形成された領域を除いた残りの領域もまた、実質的にダミーパターンで満たすことができる。
【００６６】
前記ダミーパターンにより、放射パターン１１０，１４０が光学偏差によってユーザに視認されることを低減または抑制できる。
【００６７】
図２及び図３は、例示的な実施形態に係るフィルムアンテナを示す概略断面図である。具体的には、図２及び図３は、図１に示すＩ−Ｉ’に沿う断面図である。
【００６８】
図２を参照すると、誘電層１００の底面上にはグランド層９０を形成することができる。グランド層９０は、金属、合金、透明金属酸化物などの導電物質を含むことができる。
【００６９】
グランド層９０は、垂直放射パターン１１０と重畳して垂直偏波を形成するためのグランド電極で提供することができる。
【００７０】
一部の実施形態では、グランド層９０と第１のパッド１３０を接続する接続グランド層（図示せず）を形成することもできる。
【００７１】
一部の実施形態では、グランド層９０は、フィルムアンテナの別の構成として含むことができる。一部の実施形態では、フィルムアンテナが搭載されるディスプレイ装置の導電性部材をグランド層で提供することもできる。
【００７２】
前記導電性部材は、例えば、ディスプレイパネルに含まれる薄膜トランジスタ（ＴＦＴ）のゲート電極、スキャンライン又はデータラインなどの各種の配線、または画素電極、共通電極などの各種の電極を含むことができる。
【００７３】
図３を参照すると、グランド層９０は、垂直放射パターン１１０と選択的に重畳するように形成することができる。この場合、グランド層９０は、水平放射パターン１４０とは重畳していなくてもよい。例えば、グランド層９０は、水平放射パターン１４０と重畳する領域では、パターニングされて除去されてもよい。
【００７４】
グランド層９０が垂直放射パターン１１０と選択的に重畳することによって、水平放射パターン１４０との放射干渉をさらに遮断することができる。
【００７５】
図４は、一部の例示的な実施形態に係るフィルムアンテナを示す概略平面図である。
図４を参照すると、前記フィルムアンテナは、複数の水平放射パターン１４０を含み、少なくとも一つの水平放射パターン１４０は、他の水平放射パターン１４０に対して平面上で回転されて配列されてもよい。
【００７６】
例えば、図４に示すように、点線の丸で示されている水平放射パターン１４０は、隣接する他の水平放射パターン１４０に対して時計回りに９０度（°）回転されてもよい。
【００７７】
回転角度は、必ずしも９０度に限定されるものではなく、０度よりも大きい任意の角度であってもよい。また、回転角度は、時計回りまたは反時計回りと定義することができる。
【００７８】
少なくとも一つの水平放射パターン１４０を回転させることによって、前記第１及び第２方向に定義される平面上で放射カバレッジを拡張し、信号の送受信効率及び感度を増加させることができる。
【００７９】
図５は、一部の例示的な実施形態に係るフィルムアンテナを示す概略平面図である。
図５を参照すると、前記フィルムアンテナは、複数の垂直放射パターン１１０および複数の水平放射パターン１４５を含むことができる。
【００８０】
例示的な実施形態によると、所定の数の垂直放射パターン１１０が一つの垂直放射群１１５を定義することができる。例えば、第１の垂直放射パターン１１０ａ及び第２の垂直放射パターン１１０ｂが一つの垂直放射群１１５を形成し、複数の垂直放射群１１５を前記第１方向に沿って配列することができる。
【００８１】
また、所定の数の水平放射パターン１４０が一つの水平放射群１４５を定義することができる。例えば、第１の水平放射パターン１４０ａ及び第２の水平放射パターン１４０ｂが一つの水平放射群１４５を形成し、複数の水平放射群１４５を前記第１方向に沿って配列することができる。
【００８２】
垂直放射群１１５および水平放射群１４５は、放射干渉を防止するために、互いに交互に配列されるか又は混合されることなく、分離して配列されてもよい。例えば、複数の垂直放射群１１５が連続して配列され、複数の水平放射群１４５が連続して配列されてもよい。
【００８３】
前述のように、隣接する垂直放射パターン１１０の中心と水平放射パターン１４０の中心との間の距離はλ／２以上であってもよく、一実施形態ではλ以上であってもよい。
【００８４】
第１のパッド１３０は、第１の伝送線路１２０を介して、複数の垂直放射群１１５に共通に接続することができる。例えば、図５に示すように、２つの垂直放射パターン１１０（１*２配列）によって垂直放射群１１５が定義され、２つの垂直放射群１１５が一つの第１のパッド１３０に併合されてもよい（例えば、１*４配列）。
【００８５】
第２のパッド１６０もまた、第２の伝送線路１５０を介して、複数の水平放射群１４５に共通に接続することができる。例えば、図５に示すように、２つの水平放射パターン１４０（１*２配列）によって水平放射群１４５が定義され、２つの水平放射群１４５が一つの第２のパッド１６０に併合されてもよい（例えば、１*４配列）。
【００８６】
前述したように、垂直放射パターン１１０および水平放射パターン１４０をグループ化してアレイを形成することにより、放射パターンの密集度を増加させ、信号の送受信効率をより向上させることができる。
【００８７】
また、図４で説明したように、少なくとも一つの水平放射パターン１４５は、平面上で他の水平放射パターンに対して回転されて配列されてもよい。
【００８８】
一部の実施形態では、少なくとも一つの水平放射群１４５に含まれた水平放射パターン１４５は、図４に示すように回転されて配列されてもよい。
【００８９】
図６は、一部の例示的な実施形態に係るフィルムアンテナのパターン構造を示す概略平面図である。
【００９０】
図６を参照すると、前述のように、メッシュパターン構造のダミーパターン１７０を放射パターン１１０，１４０の周辺に形成することができる。放射パターン１１０，１４０は、ダミーパターン１７０と実質的に同一または類似のメッシュパターン構造を含むことができる。
【００９１】
例示的な実施形態によると、放射パターン１１０，１４０の枠に沿って形成された分離領域１７５によって、放射パターン１１０，１４０とダミーパターン１７０を互いに分離及び絶縁することができる。
【００９２】
放射パターン１１０，１４０及びダミーパターン１７０を、実質的に同一または類似のメッシュパターン構造を含むように形成することにより、前記フィルムアンテナの透過率を向上し、且つパターン形状の違いによる放射パターン１１０，１４０の視認を防止することができる。
【００９３】
図７は、例示的な実施形態に係るディスプレイ装置を説明するための概略平面図である。例えば、図７は、ディスプレイ装置のウィンドウを含む外部形状を示している。
【００９４】
図７を参照すると、ディスプレイ装置２００は、表示領域２１０および周辺領域２２０を含むことができる。周辺領域２２０は、例えば、表示領域２１０の両側部及び／又は両端部に配置することができる。
【００９５】
一部の実施形態において、前述したフィルムアンテナは、ディスプレイ装置２００の周辺領域２２０にパッチの形で挿入することができる。一部の実施形態において、図１で説明したフィルムアンテナの放射領域ＲＡは、ディスプレイ装置２００の表示領域２１０に少なくとも部分的に対応するように配置され、パッド領域ＰＡは、ディスプレイ装置２００の周辺領域２２０に対応するように配置されてもよい。
【００９６】
周辺領域２２０は、例えば、画像表示装置の遮光部又はベゼル部に相当し得る。また、周辺領域２２０には、ディスプレイ装置２００及び／又は前記フィルムアンテナのＩＣチップのような駆動回路を配置することができる。
【００９７】
前記フィルムアンテナのパッド領域ＰＡを前記駆動回路に隣接するように配置することにより、信号の送受信経路を短縮して信号損失を抑制することができる。
【図１】
2021501542.tif 000003
【図２】
2021501542.tif 000004
【図３】
2021501542.tif 000005
【図４】
2021501542.tif 000006
【図５】
2021501542.tif 000007
【図６】
2021501542.tif 000008
【図７】
2021501542.tif 000009
【国際調査報告】
2021501542.tif 000010
2021501542.tif 000011
2021501542.tif 000012
2021501542.tif 000013